【事件の表示】
　特願２０００−１７３３７５「照明光学系及びこれを用いた投写型表示装置」拒絶査定不服審判事件〔平成１３年　２月２３日出願公開、特開２００１−　５１２３２〕について、次のとおり審決する。
【結　論】
　本件審判の請求は、成り立たない。
【理　由】
１．手続の経緯、本願発明
　本願は、平成１１年９月８日に出願された特願平１１−２５３７７９号（国内優先権主張：平成１１年１月１４日）の一部を平成１２年６月９日に新たな特許出願としたものであって、その請求項１〜８に係る発明は、平成１４年３月２０日付けの手続補正書により補正された明細書及び図面の記載からみて、その特許請求の範囲の請求項１〜８に各々記載された事項により特定されるものであるところ、請求項５に係る発明（以下、「本願発明」という）は次のとおりである。
　「照明光を射出する照明光学系であって、
　光源部と、
　前記光源部からの射出光を複数の部分光線束に分割するための複数の第１の小レンズを有する第１のレンズアレイと、
　前記複数の第１の小レンズに対応する複数の第２の小レンズを有する第２のレンズアレイと、を備え、
　かつ、前記光源部と前記第１のレンズアレイとの間に、第１の集光レンズと、複数の色フィルタが回転可能に形成されたカラーホイールと、第２の集光レンズとを順に備え、前記第１の集光レンズは、前記光源部からの光を前記カラーホイールの近傍に集光させる、
照明光学系。」
　　　
２．引用例に記載の発明
　原査定の拒絶理由に引用され、本願出願前に頒布された刊行物である特開平１１−２７８０号公報（以下、「引用例」という）には、次のように記載されている。
　「【００１２】
【発明の実施の形態】・・・・図２乃至図４を参照するに、本発明の第１実施例による反射型プロジェクターは光を生成投射する光源１１０と、光源１１０ から出射した光を波長によって選択的に透過させてカラーを選択するカラーホイール１２０と、画像生成手段１６０と、前記光源１１０側から入射した光を透過させ、前記画像生成手段１６０から反射されて再入射した光を反射させる臨界角プリズム１５０と、入射した光がスクリーンに向かうように拡大透過させる投射レンズユニット１７０とを含んでなる。
【００１３】
　また、前記カラーホイール１２０と前記臨界角プリズム１５０間の光経路上には前記光源１１０側から入射した光を発散／収束または乱反射させて均一光にさせる光混合手段１３０と、入射光を収束させて平行光にさせるリレイレンズユニット１４０をさらに含むことが望ましい。
　前記光源１１０は光を生成するランプ１１１と、このランプ１１１から出射した光を反射させてその進行経路を案内する反射鏡１１３とを含む。前記反射鏡１１３は前記ランプ１１１の位置を一焦点とし、光が収束される地点を他の焦点とする楕円鏡であるとか、前記ランプ１１１の位置を一焦点とし、このランプ１１１から出射し、前記反射鏡１１３ から反射した光を平行光にさせる放物鏡でありうる。
【００１４】
　前記カラーホイール１２０ は前記光源１１０と前記光混合手段１３０間の光経路上に配置され、前記光源１１０側から入射した光を波長によって選別透過させるように光経路上に選択的に位置する赤、緑、青の三色またはイエロ、シアン、マゼンタの三色を有するカラーフィルター１２１と、このカラーフィルター１２１を回転駆動させる駆動部１２３とを含む。前記カラーフィルター１２１はホイール全体に等分配置される。前記カラーホイール１２０は前記画像生成手段１６０の応答速度に対応するように回転駆動して三色カラーフィルター中いずれか一つのカラーフィルターが前記光経路上に配置される。
【００１５】
　前記光混合手段１３０は前記カラーホイール１２０を透過した光を収束させる収束レンズ１３１と、入射光を収束させながら隣接配置された第１及び第２フライアイレンズ１３２、１３３ とを含む。前記第１及び第２フライアイレンズ１３２ 、１３３の各々は入射面及び／または出射面に四角形の多数の凸部１３２ａ、１３３ａが形成されて各々入射光を収束させる。前記凸部１３２ａ、１３３ａの各々の形状において、その縦横比は後述する強誘電体液晶表示素子（以下、ＦＬＣＤとする)１６３の縦横比に対応する。前記第１フライアイレンズ１３２の各凸部１３２ａにより収束された光は前記第２フライアイレンズ１３３の周辺にフォーカシングされ、前記光源１１０からの不均一光を混合させて均一光にさせる。
【００１６】
　前記リレイレンズユニット１４０は前記光混合手段１３０を透過した光をＦＬＣＤ１６３ に重畳して収束させる。このために前記リレイレンズユニット１４０は入射光を発散させる収束レンズ１４１と、前記収束レンズ１４１と前記臨界角プリズム１５０間の光経路上に配置されて入射する発散光を収束させて平行光にさせるコリメーティングレンズ１４３とを含む。」（段落【００１２】〜【００１６】）
　また、図２及び図３に、それぞれ反射型プロジェクターの構成とフライアイレンズの概略的正面図が示されており、図２では、光源１１０のランプ１１１から出射し反射鏡から反射した光がカラーホイール１２０の近傍に集光していることが、さらに図３では、第１のフライアイレンズ１３２と第２のフライアイレンズ１３３とは入射面及び／または出射面に対応する多数の凸部１３２ａ及び１３３ａが形成されたものであることが見てとれる。
　以上の記載によれば、引用例には、「光源１１０と、複数のカラーフィルターを有し回転駆動されるカラーホィール１２０と、集束レンズ１３１と、それぞれ入射面及び／または出射面に対応する多数の凸部１３２ａ及び１３３ａが形成された第１のフライアイレンズ１３２及び第２のフライアイレンズ１３３とを有し、光源１１０はランプ１１１とランプ１１１から出射した光を反射させカラーホイール１２０の近傍に集光させる反射鏡１１３とを含み、カラーホイール１２０を通り集束レンズ１３１を通った光源１１０からの不均一光が第１及び第２のフライアイレンズ１３２及び１３３により混合し均一光にされるようにした反射型プロジェクターの光学系」が記載されているものと認める。
　　　
３．対比、判断
　本願発明と引用例に記載のものとを対比すると、引用例に記載のものにおける「光源１１０」、「集束レンズ１３１」、「第１のフライアイレンズ１３２」、「第２のフライフイレンズ１３３」、「凸部１３２ａ」、「凸部１３３ａ」は、それぞれ本願発明における「光源部」、「第２の集光レンズ」、「第１のレンズアレイ」、「第２のレンズアレイ」、「第１の小レンズ」、「第２の小レンズ」に相当するものであり、引用例に記載のものにおける多数の凸部１３２ａが形成された第１の小レンズ１３２は光源１１０からの光を複数の部分光線束に分割するものであり、また、引用例に記載のものにおける光源１１０、カラーホィール１２０、第１及び第２のフライアイレンズを含む光学系により照明光を射出する照明光学系が構成されるのであるから、本願発明と引用例に記載のものとは、
　「照明光を射出する照明光学系であって、
　光源部と、
　前記光源部からの射出光を複数の部分光線束に分割するための複数の第１の小レンズを有する第１のレンズアレイと、
　前記複数の第１の小レンズに対応する複数の第２の小レンズを有する第２のレンズアレイと、を備え、
　かつ、前記光源部と前記第１のレンズアレイとの間に、複数の色フィルタが回転可能に形成されたカラーホイールと、第２の集光レンズとを順に備える、
照明光学系」
である点において一致するが、次の点において相違する。
＜相違点＞
　本願発明において、「光源部とカラーホイールとの間に第１の集光レンズを備え、第１の集光レンズは光源部からの光をカラーホイールの近傍に集光させる」のに対して、引用例に記載のものにおいては、光源１１０とカラーホィールとの間に集光レンズは備えられておらず、光源１１０のランプ１１１から出射した光を反射鏡１１３により反射させてカラーホイール１２０の近傍に集光させている点。
　そこで、上記相違点について検討する。
　光学系において必要な位置に、必要な光束の収束性、発散性等の特性のレンズを備えるようにすることは、光学系の設計において一般的に考慮される周知の事項である。その上で引用例に記載のものにおける反射型プロジェクターの光学系を見ると、光源１１０とカラーホィール１２０との間に特にレンズは介在していないが、この位置にレンズを挿入できない理由は特にないものであって、集光レンズをこの位置に備えることは、必要に応じて適宜行うことである。そして、この位置に集光レンズを配置することにより、ランプ１１１からの光の集光位置をより光源側に近づけることができるのは、このような光学系の設計において当然のことである。
　それゆえ、上記相違点は、何ら格別な技術的特徴を与えるものではない。
　　　
４．むすび
　以上のとおりであるから、本願発明は、引用例に記載された発明及び周知の事項に基づいて当業者が容易に発明をすることができたものであるので、特許法第２９条第２項の規定により特許を受けることができない。
　よって、結論のとおり審決する。